(57)【要約】【課題】サイズが大きくなってしまうことを避けつつ、必要な時にアドバタイジングを実行することができる口腔内生体モニタリング装置を提供することを目的とする。【解決手段】口腔内生体モニタリング装置は、センサと、前記センサに信号が入力されたことに応じて通信を実行する通信部と、前記センサ及び前記通信部を保持しており、被検体の歯冠に装着され、前記被検体の歯茎の少なくとも一部を覆うマウスピースと、を備える。【選択図】図１
2020141789.tif 000002
【特許請求の範囲】
【請求項１】
センサと、
前記センサに信号が入力されたことに応じて通信を実行する通信部と、
前記センサ及び前記通信部を保持しており、被検体の歯冠に装着され、前記被検体の歯茎の少なくとも一部を覆うマウスピースと、
を備える口腔内生体モニタリング装置。
【請求項２】
前記センサは、前記被検体の歯冠のうち前記被検体が上顎の歯と下顎の歯とを咬合させても他の歯と接触しない部分及び前記被検体の歯茎の少なくとも一方に配置される、
請求項１に記載の口腔内生体モニタリング装置。
【請求項３】
前記センサは、光を検出する光検出部を備える光センサであり、
前記マウスピースは、光を透過させる材料で作製され、前記センサのうち少なくとも前記光検出部を覆っており、
前記通信部は、前記光検出部が光を検出したことに応じて通信を実行する、
請求項１又は請求項２に記載の口腔内生体モニタリング装置。
【請求項４】
前記マウスピースは、前記光検出部が前記被検体の歯冠及び歯茎の少なくとも一方を向いた状態で前記被検体の歯冠に装着される、
請求項３に記載の口腔内生体モニタリング装置。
【請求項５】
前記マウスピースは、前記光検出部が前記被検体の歯冠及び歯茎が存在する方向と異なる方向を向いた状態で前記被検体の歯冠に装着される、
請求項３に記載の口腔内生体モニタリング装置。
【請求項６】
前記光検出部は、近赤外領域又は可視光領域に属する波長を有する光を検出する、
請求項３から請求項５のいずれか一つに記載の口腔内生体モニタリング装置。
【請求項７】
前記光検出部は、所定の変調が施されている光を検出する、
請求項３から請求項６のいずれか一つに記載の口腔内生体モニタリング装置。
【請求項８】
前記光検出部は、光を受けて発電する光発電素子を備え、前記光発電素子が発電した電力を使用して光を検出する、
請求項３から請求項７のいずれか一つに記載の口腔内生体モニタリング装置。
【請求項９】
前記センサは、間欠的に動作する、
請求項３から請求項８のいずれか一つに記載の口腔内生体モニタリング装置。
【請求項１０】
前記センサが光を検出していない場合、前記マウスピースが前記被検体の歯冠に装着されていたと判定し、前記センサが光を検出した場合、前記マウスピースが前記被検体の歯冠に装着されていなかったと判定する判定部を更に備える、
請求項３から請求項９のいずれか一つに記載の口腔内生体モニタリング装置。
【請求項１１】
前記センサは、温度を検出する温度検出部を備える温度センサであり、
前記通信部は、前記温度検出部が所定の第一閾値以上の温度上昇を検出したことに応じて通信を実行する、
請求項１又は請求項２に記載の口腔内生体モニタリング装置。
【請求項１２】
前記通信部は、前記所定の第一閾値として摂氏６０度を採用している、
請求項１１に記載の口腔内生体モニタリング装置。
【請求項１３】
前記通信部は、前記所定の第一閾値として摂氏１５０度以上の温度を採用している、
請求項１１に記載の口腔内生体モニタリング装置。
【請求項１４】
前記マウスピースは、光を透過させる材料で作製され、前記センサのうち少なくとも前記温度検出部を覆っており、
前記通信部は、前記温度検出部に照射された光による前記所定の第一閾値以上の温度上昇を前記温度検出部が検出したことに応じて通信を実行する、
請求項１１から請求項１３のいずれか一つに記載の口腔内生体モニタリング装置。
【請求項１５】
前記光が照射される領域に設けられた前記光を吸収する吸光性部材を更に備える、
請求項１４に記載の口腔内生体モニタリング装置。
【請求項１６】
前記センサは、間欠的に動作する、
請求項１１から請求項１５のいずれか一つに記載の口腔内生体モニタリング装置。
【請求項１７】
前記センサが所定の第二閾値以上の温度を検出した場合、前記マウスピースが前記被検体の歯冠に装着されていたと判定し、前記センサが所定の第二閾値未満の温度を検出した場合、前記マウスピースが前記被検体の歯冠に装着されていなかったと判定する判定部を更に備える、
請求項１１から請求項１６のいずれか一つに記載の口腔内生体モニタリング装置。
【発明の詳細な説明】
【技術分野】
【０００１】
本発明は、口腔内生体モニタリング装置に関する。
【背景技術】
【０００２】
現在では、センサを保持するマウスピース等を被検体の口腔内に設置して被検体から生体データを収集し、様々な治療を行う技術が確立されている。例えば、特許文献１には、生体センサと、信号処理部と、通信部と、動作機器部とを備える口腔内設置型生体モニターが開示されている。生体センサは、床義歯又はマウスピースに体温、脈拍、唾液中の酵素や代謝物質等を検出するセンサ及び体姿勢や運動を検出する加速度センサからなる。信号処理部は、該生体センサからのデータを評価して異常値を検出するとともにデータを蓄積する。通信部は、該信号処理部におけるデータを無線方式で医療センター等管理センターに送信するとともに医療センター等管理センターからの指令信号を受信する。動作機器部は、管理センターからの指令信号に基づいて作動する。
【先行技術文献】
【特許文献】
【０００３】
【特許文献１】特開２００４−１６７２１０号公報
【０００４】
このような口腔内設置型生体モニターは、通常、床義歯又はマウスピースに封止されているため、収集したデータをＢＬＥ（Bluetooth（登録商標）  Low  Energy）等の無線通信を使用して医師等が使用しているコンピュータ等の外部機器に送信する必要がある。ここで言うデータは、例えば、被検体の歯冠に装着されている間に収集した生体データ、自身が被検体の口腔内に設置されているか否かを判定する根拠となる着脱判定用データである。
【０００５】
しかし、上述した口腔内設置型生体モニターは、ＢＬＥ等の無線通信を使用する場合、外部機器へアドバタイジングしていない限り、収集したデータを外部機器に送信することができない。一方、当該口腔内設置型生体モニターは、アドバタイジングにより多くの電力を消費してしまうため、収集したデータを外部機器に送信する場合にのみアドバタイジングを実行することが好ましい。
【０００６】
ところが、当該口腔内設置型生体モニターは、被検体の口腔内に設置されることが考慮され、小型化されていることが多い。このため、当該口腔内設置型生体モニターは、アドバタイジングを実行する場合とアドバタイジングを実行しない場合とをスイッチにより切り替えたり、容量が大きな電池からアドバタイジングに使用する電力の供給を受けたりすることが困難である。
【発明の概要】
【発明が解決しようとする課題】
【０００７】
本発明は、上記の問題点に鑑みてなされたものであって、サイズが大きくなってしまうことを避けつつ、必要な時にアドバタイジングを実行することができる口腔内生体モニタリング装置を提供することを目的とする。
【課題を解決するための手段】
【０００８】
上記目的を達成するため、本発明の一態様に係る口腔内生体モニタリング装置は、センサと、前記センサに信号が入力されたことに応じて通信を実行する通信部と、前記センサ及び前記通信部を保持しており、被検体の歯冠に装着され、前記被検体の歯茎の少なくとも一部を覆うマウスピースと、を備える。
【０００９】
また、本発明の一態様に係る口腔内生体モニタリング装置では、前記センサは、前記被検体の歯冠のうち前記被検体が上顎の歯と下顎の歯とを咬合させても他の歯と接触しない部分及び前記被検体の歯茎の少なくとも一方に配置される。
【００１０】
また、本発明の一態様に係る口腔内生体モニタリング装置では、前記センサが光を検出する光検出部を備える光センサであり、前記マウスピースが光を透過させる材料で作製され、前記センサのうち少なくとも前記光検出部を覆っており、前記通信部が前記光検出部が光を検出したことに応じて通信を実行する。
【００１１】
また、本発明の一態様に係る口腔内生体モニタリング装置では、前記マウスピースが前記光検出部が前記被検体の歯冠及び歯茎の少なくとも一方を向いた状態で前記被検体の歯冠に装着される。
【００１２】
また、本発明の一態様に係る口腔内生体モニタリング装置では、前記マウスピースが前記光検出部が前記被検体の歯冠及び歯茎が存在する方向と異なる方向を向いた状態で前記被検体の歯冠に装着される。
【００１３】
また、本発明の一態様に係る口腔内生体モニタリング装置では、前記光検出部が近赤外領域又は可視光領域に属する波長を有する光を検出する。
【００１４】
また、本発明の一態様に係る口腔内生体モニタリング装置では、前記光検出部が所定の変調が施されている光を検出する。
【００１５】
また、本発明の一態様に係る口腔内生体モニタリング装置では、前記光検出部が光を受けて発電する光発電素子を備え、前記光発電素子が発電した電力を使用して光を検出する。
【００１６】
また、本発明の一態様に係る口腔内生体モニタリング装置では、前記センサが間欠的に動作する。
【００１７】
また、本発明の一態様に係る口腔内生体モニタリング装置は、前記センサが光を検出していない場合、前記マウスピースが前記被検体の歯冠に装着されていたと判定し、前記センサが光を検出した場合、前記マウスピースが前記被検体の歯冠に装着されていなかったと判定する判定部を更に備える。
【００１８】
また、本発明の一態様に係る口腔内生体モニタリング装置では、前記センサが温度を検出する温度検出部を備える温度センサであり、前記通信部が前記温度検出部が所定の第一閾値以上の温度上昇を検出したことに応じて通信を実行する。
【００１９】
また、本発明の一態様に係る口腔内生体モニタリング装置では、前記通信部が前記所定の第一閾値として摂氏６０度を採用している。
【００２０】
また、本発明の一態様に係る口腔内生体モニタリング装置では、前記通信部が前記所定の第一閾値として摂氏１５０度以上の温度を採用している。
【００２１】
また、本発明の一態様に係る口腔内生体モニタリング装置では、前記マウスピースが光を透過させる材料で作製され、前記センサのうち少なくとも前記温度検出部を覆っており、前記通信部が前記温度検出部に照射された光による前記所定の第一閾値以上の温度上昇を前記温度検出部が検出したことに応じて通信を実行する。
【００２２】
また、本発明の一態様に係る口腔内生体モニタリング装置は、前記光が照射される領域に設けられた前記光を吸収する吸光性部材を更に備える。
【００２３】
また、本発明の一態様に係る口腔内生体モニタリング装置では、前記センサが間欠的に動作する。
【００２４】
また、本発明の一態様に係る口腔内生体モニタリング装置は、前記センサが所定の第二閾値以上の温度を検出した場合、前記マウスピースが前記被検体の歯冠に装着されていたと判定し、前記センサが所定の第二閾値未満の温度を検出した場合、前記マウスピースが前記被検体の歯冠に装着されていなかったと判定する判定部を更に備える。
【発明の効果】
【００２５】
本発明によれば、サイズが大きくなってしまうことを避けつつ、必要な時にアドバタイジングを実行することができる。
【図面の簡単な説明】
【００２６】
【図１】第一実施形態に係る口腔内生体モニタリング装置の外観の一例を示す図である。
【図２】第一実施形態に係る口腔内生体モニタリング装置が備えるセンサ及び光検出部を通る平面における断面の一例を示す図である。
【図３】第一実施形態に係る口腔内生体モニタリング装置のハードウェア構成の一例を示す図である。
【図４】第一実施形態に係る口腔内生体モニタリング装置の機能的な構成の一例を示す図である。
【図５】第一実施形態に係る口腔内生体モニタリング装置及び外部機器が実行する処理の一例を示すシーケンス図である。
【図６】第二実施形態に係る口腔内生体モニタリング装置のハードウェア構成の一例を示す図である。
【図７】第二実施形態に係る口腔内生体モニタリング装置及び外部機器が実行する処理の一例を示すシーケンス図である。
【図８】他の実施形態に係る口腔内生体モニタリング装置が備えるセンサ及び光検出部を通る平面における断面の一例を示す図である。
【図９】他の実施形態に係る口腔内生体モニタリング装置が備えるセンサ及び光検出部を通る平面における断面の一例を示す図である。
【図１０】他の実施形態に係る口腔内生体モニタリング装置が備えるセンサ及び光検出部を通る平面における断面の一例を示す図である。
【発明を実施するための形態】
【００２７】
［第一実施形態］
図１から図４を参照しながら、第一実施形態に係る口腔内生体モニタリング装置の一例について説明する。図１は、第一実施形態に係る口腔内生体モニタリング装置の外観の一例を示す図である。図２は、第一実施形態に係る口腔内生体モニタリング装置が備えるセンサ及び光検出部を通る平面における断面の一例を示す図である。図３は、第一実施形態に係る口腔内生体モニタリング装置のハードウェア構成の一例を示す図である。
【００２８】
図１、図２及び図３に示すように、口腔内生体モニタリング装置１１は、センサ２と、通信部３と、電池４と、基板５と、マウスピース６１と、ＣＰＵ（Central  Processing  Unit）７１と、ＲＯＭ（Read  Only  Memory）７２と、ＲＡＭ（Random  Access  Memory）７３と、ＲＴＣ（Real-Time  Clock）７４とを備える。
【００２９】
センサ２は、光を検出する光検出部２１を備える光センサであり、被検体の歯茎Ｇに配置される。また、センサ２は、被検体の歯茎Ｇに配置される。例えば、光検出部２１は、近赤外領域又は可視光領域に属する波長を有する光を検出する。また、光検出部２１が検出する光は、光検出部２１は、所定の変調が施されていてもよい。ここで言う所定の変調は、光の波長、強度、出力が開始するタイミング、出力が終了するタイミング等を任意に変化させることをいう。さらに、光検出部２１は、光を受けて発電する光発電素子２１１を備え、光発電素子２１１が発電した電力を使用して光を検出してもよい。また、センサ２は、図３に示したセンサＩＣ（Integrated  Circuit）２１３により制御され、間欠的に、例えば、１０秒ごとに動作してもよい。
【００３０】
通信部３は、センサ２に信号が入力されたことに応じて通信、すなわちアドバタイジングを実行する。例えば、通信部３は、光検出部２１が光を検出したことに応じて通信を実行する。一回のアドバタイジングの長さは、例えば、２０秒である。また、通信部３は、口腔内生体モニタリング装置１１が収集した着脱判定用データを後述する外部機器１００に送信するために外部機器１００と通信を実行する。電池４は、口腔内生体モニタリング装置１１の各部に電力を供給する。基板５は、センサ２、通信部３及び電池４を保持している。
【００３１】
マウスピース６１は、センサ２、通信部３、電池４及び基板５を保持しており、光を透過させる材料で作製されており、光検出部２１が被検体の歯冠Ｔ及び歯茎Ｇの少なくとも一方を向いた状態で被検体の歯冠Ｔに装着される。このような材料の光の透過率は、例えば、２０％以上であることが好ましい。また、マウスピース６１は、被検体の歯茎Ｇの少なくとも一部を覆っている。さらに、マウスピース６１は、センサ２のうち少なくとも光検出部２１を覆っている。具体的には、マウスピース６１は、通信部３、電池４及び基板５と共にセンサ２を封止している。
【００３２】
図４は、第一実施形態に係る口腔内生体モニタリング装置の機能的な構成の一例を示す図である。ＣＰＵ７１は、必要に応じてＲＯＭ（Read  Only  Memory）７２に格納されている各種プログラムを読み出してＲＡＭ（Random  Access  Memory）７３に展開し、各種プログラムを実行することにより、図４に示した判定部８及び制御部９として機能する。ＲＴＣ７４は、必要に応じて通常スリープ状態となっているＣＰＵ７１を起動させる。
【００３３】
判定部８は、センサ２が光を検出していない場合、マウスピース６１が被検体の歯冠Ｔに装着されていたと判定し、センサ２が光を検出した場合、マウスピース６１が被検体の歯冠Ｔに装着されていなかったと判定する。制御部９は、口腔内生体モニタリング装置１１の各部、例えば、センサ２及び通信部３の動作を必要に応じて制御する。
【００３４】
次に、図５を参照しながら第一実施形態に係る口腔内生体モニタリング装置１１の動作の一例を説明する。図５は、第一実施形態に係る口腔内生体モニタリング装置及び外部機器が実行する処理の一例を示すシーケンス図である。
【００３５】
図５は、口腔内生体モニタリング装置１１が図示していない着脱判定用センサにより収集された着脱判定用データを外部機器１００に送信する場合に実行される処理の一例を示している。着脱判定用センサは、例えば、光センサ、温度センサである。
【００３６】
例えば、着脱判定用センサが光センサである場合、光センサが光を検出していなかった期間は、被検体の歯冠Ｔに口腔内生体モニタリング装置１１が装着されている期間に相当する。一方、光センサが光を検出していた期間は、被検体の歯冠Ｔに口腔内生体モニタリング装置１１が装着されていなかった期間に相当する。
【００３７】
或いは、着脱判定用センサが温度センサである場合、温度センサが検出した温度が被検体の体温と同程度であった期間は、被検体の歯冠Ｔに口腔内生体モニタリング装置１１が装着されている期間に相当する。一方、温度センサが検出した温度が被検体の体温と一定温度以上異なっていた期間は、被検体の歯冠Ｔに口腔内生体モニタリング装置１１が装着されていなかった期間に相当する。
【００３８】
外部機器１００は、例えば、医者等が使用しているコンピュータであり、着脱判定用センサが収集したデータに基づいて、被検体の歯冠Ｔに口腔内生体モニタリング装置１１が装着されていた期間及び被検体の歯冠Ｔに口腔内生体モニタリング装置１１が装着されていなかった期間を推定する。また、外部機器１００は、通信部３００と、制御部９００と、発光部２１００とを備える。
【００３９】
通信部３００は、口腔内生体モニタリング装置１１との通信を実行する。制御部９００は、外部機器１００の各部の動作を必要に応じて制御する。発光部２１００は、制御部９００の制御の下、上述した所定の変調が施された光を光検出部２１に向けて出力する。
【００４０】
ステップＳ１０１において、制御部９００は、発光を開始するよう指示する発光開始信号を発光部２１００に送信する。制御部９００は、例えば、外部機器１００に設けられているスイッチが操作されたり、外部機器１００にインストールされているプログラムから要求されたりした場合に発光開始信号を発光部２１００に送信する。
【００４１】
ステップＳ１０２において、発光部２１００は、発光を開始する。
【００４２】
ステップＳ１０３において、光検出部２１は、光の検出を開始する。
【００４３】
ステップＳ１０４において、発光部２１００は、発光を終了する。また、発光部２１００が発光を開始してから終了するまでの時間は、事前に設定されている。
【００４４】
ステップＳ１０５において、光検出部２１は、光の検出を終了する。
【００４５】
ステップＳ１０６において、光検出部２１は、光を検出したことを示す光検出信号を制御部９に送信する。
【００４６】
ステップＳ１０７において、制御部９は、アドバタイジングを開始するよう指示するアドバタイジング開始信号を通信部３に送信する。
【００４７】
ステップＳ１０８において、通信部３は、アドバタイジングパケットを通信部３００に送信する。
【００４８】
ステップＳ１０９において、通信部３００は、アドバタイジングパケットを通信部３から受信する。
【００４９】
ステップＳ１１０において、通信部３００は、アドバタイジングパケットを受信したことを制御部９００に通知する。
【００５０】
ステップＳ１１１において、制御部９００は、口腔内生体モニタリング装置１１に対して通信の接続を要求する接続要求信号を送信するよう指示する接続実行信号を通信部３に送信する。
【００５１】
ステップＳ１１２において、通信部３００は、接続要求信号を通信部３に送信する。
【００５２】
ステップＳ１１３において、通信部３は、通信部３００から受信した接続要求信号を制御部９に転送する。
【００５３】
ステップＳ１１４において、制御部９は、通信部３に外部機器１００との通信の接続を確立させる。
【００５４】
ステップＳ１１５において、通信部３は、外部機器１００に着脱判定用データを受信するよう要求するデータ受信要求信号を通信部３００に送信する。
【００５５】
ステップＳ１１６において、通信部３００は、着脱判定用データを送信することを許可するデータ送信許可信号を口腔内生体モニタリング装置１１に送信する。
【００５６】
ステップＳ１１７において、通信部３は、着脱判定用データを通信部３００に送信する。
【００５７】
ステップＳ１１８において、通信部３００は、着脱判定用データを通信部３から受信する。
【００５８】
ステップＳ１１９において、通信部３は、外部機器１００に着脱判定用データを送信し終えたことを示すデータ送信終了信号を制御部９に送信する。
【００５９】
ステップＳ１２０において、制御部９は、外部機器１００との通信を終了するよう指示する通信終了信号を通信部３に送信する。
【００６０】
ステップＳ１２１において、通信部３は、外部機器１００との通信を終了する。
【００６１】
以上、第一実施形態に係る口腔内生体モニタリング装置１１について説明した。口腔内生体モニタリング装置１１は、センサ２に信号が入力されたことに応じて外部機器１００と通信を実行する。このため、口腔内生体モニタリング装置１１は、アドバタイジングを実行する場合とアドバタイジングを実行しない場合とを切り替えるスイッチが不要となるため、サイズが大きくなってしまうことを避けることができる。また、口腔内生体モニタリング装置１１は、必要な時にのみアドバタイジングを実行することができる。さらに、口腔内生体モニタリング装置１１は、必要以上にアドバタイジングを実行して電池４に蓄積されている電力を浪費してしまうことを避けることができるため、電池４が大きくなることにより、サイズが大きくなってしまうことを避けることができる。
【００６２】
また、口腔内生体モニタリング装置１１は、センサ２として光を透過させる材料で作製されたマウスピース６１で覆われている光検出部２１を備える光センサを採用している。また、このようなセンサ２は、アドバタイジングを実行する場合とアドバタイジングを実行しない場合とを切り替えるスイッチよりも小さい。したがって、口腔内生体モニタリング装置１１は、サイズが大きくなってしまうことを避けつつ、光検出部２１に光を入力するだけでアドバタイジングを実行することができる。
【００６３】
また、マウスピース６１は、光検出部２１が被検体の歯冠Ｔ及び歯茎Ｇの少なくとも一方を向いた状態で被検体の歯冠Ｔに装着される。これにより、口腔内生体モニタリング装置１１は、被検体の歯冠Ｔに装着されており、被検体が口を開けた場合に光検出部２１に光が入力され、不必要なアドバタイジングを実行してしまう事態を避けることができる。同時に、口腔内生体モニタリング装置１１は、被検体の歯冠Ｔから取り外されて外部機器１００と通信を実行する場合にのみ光検出部２１に光を入力させ、アドバタイジングを実行することができる。
【００６４】
また、光検出部２１は、近赤外領域又は可視光領域に属する波長を有する光を検出する。これにより、口腔内生体モニタリング装置１１は、被検体の口腔内に人体に悪影響を及ぼすことがある紫外線等が照射されてしまう事態を避け、被検体の口腔内の治療に使用される歯科材料の選択肢を広げることができる。
【００６５】
また、光検出部２１は、所定の変調が施されている光を検出する。これにより、口腔内生体モニタリング装置１１は、被検体が口を開けた場合に光検出部２１に入力される光等の外乱により不必要なアドバタイジングを実行してしまう事態を避けることができる。
【００６６】
また、光検出部２１は、光を受けて発電する光発電素子を備え、光発電素子が発電した電力を使用して光を検出する。これにより、口腔内生体モニタリング装置１１は、アドバタイジングに必要な電力を電池４に頼る必要性を低減させ、電池４に蓄積されている電力を節約することができる。
【００６７】
また、センサ２は、間欠的に、例えば、１０秒ごとに動作する。これにより、口腔内生体モニタリング装置１１は、センサ２により消費される電力を低減させ、電池４に蓄積されている電力を節約することができる。
【００６８】
また、口腔内生体モニタリング装置１１は、センサ２が光を検出していない場合、マウスピース６１が被検体の歯冠Ｔに装着されていたと判定し、センサ２が光を検出した場合、マウスピース６１が被検体の歯冠Ｔに装着されていなかったと判定する判定部８を備える。これにより、口腔内生体モニタリング装置１１は、着脱判定用データを収集するための着脱判定用センサを省略し、サイズが大きくなってしまうことを避けることができる。或いは、口腔内生体モニタリング装置１１は、着脱判定用センサ及びセンサ２の両方から収集した着脱判定用データに基づいて、自身が被検体の歯冠Ｔに装着されているか否かを複合的かつ正確に判定することができる。
【００６９】
［第二実施形態］
図６を参照しながら、第二実施形態に係る口腔内生体モニタリング装置の一例について説明する。図６は、第二実施形態に係る口腔内生体モニタリング装置のハードウェア構成の一例を示す図である。第二実施形態に係る口腔内生体モニタリング装置１２は、第一実施形態に係る口腔内生体モニタリング装置１１が備える光検出部２１を含むセンサ２の代わりに、温度検出部２２を含むセンサを備える。以下の説明では、第二実施形態に係る口腔内生体モニタリング装置１２について、第一実施形態に係る口腔内生体モニタリング装置１１と異なる点を中心に説明し、第一実施形態と重複する説明を適宜省略する。
【００７０】
口腔内生体モニタリング装置１２は、上述したセンサ２と、通信部３と、電池４と、基板５と、マウスピース６１と、判定部８と、制御部９とを備える。また、口腔内生体モニタリング装置１２は、図６に示したＣＰＵ７１と、ＲＯＭ７２と、ＲＡＭ７３と、ＲＴＣ７４とを備える。
【００７１】
口腔内生体モニタリング装置１２が備えるセンサ２は、温度を検出する温度検出部２２を備える温度センサである。そして、通信部３は、温度検出部２２が所定の第一閾値以上の温度上昇を検出したことに応じて通信を実行する。この所定の閾値は、例えば、摂氏１５０度以上の温度、摂氏６０度である。ここで言う摂氏１５０度以上の温度は、温度検出部２２が高温により故障してしまう温度の一例である。また、ここで言う摂氏６０度は、被検体の体温よりも十分に高く、当該温度まで温度を上昇させることが比較的容易な温度の一例である。
【００７２】
温度検出部２２は、光を透過させる材料で作製されたマウスピース６１により覆われている。そして、通信部３は、温度検出部２２に照射された光による所定の第一閾値以上の温度上昇を温度検出部２２が検出したことに応じて通信を実行する。また、センサ２は、図６に示したセンサＩＣ２２３により制御され、間欠的に動作してもよい。さらに、温度検出部２２に供給される電力は、図６に示した電源制御部２２２により制御されてもよい。
【００７３】
判定部８は、センサ２が所定の第二閾値以上の温度を検出した場合、マウスピース６１が被検体の歯冠Ｔに装着されていたと判定し、センサ２が所定の第二閾値未満の温度を検出した場合、マウスピース６１が被検体の歯冠Ｔに装着されていなかったと判定する。
【００７４】
次に、図７を参照しながら第二実施形態に係る口腔内生体モニタリング装置１２の動作の一例を説明する。図７は、第二実施形態に係る口腔内生体モニタリング装置及び外部機器が実行する処理の一例を示すシーケンス図である。図７に示したステップ２０１及びステップＳ２０２、ステップＳ２０４及びステップＳ２０７からステップＳ２２１は、図５に示したステップ１０１及びステップＳ１０２、ステップＳ１０４及びステップＳ１０７からステップＳ１２１と同様である。そこで、以下の説明では、ステップＳ２０３、ステップＳ２０５及びステップＳ２０６について説明する。
【００７５】
ステップＳ２０４において、温度検出部２２は、温度の検出を開始する。
【００７６】
ステップＳ２０６において、温度検出部２２は、温度の検出を終了する。
【００７７】
ステップＳ２０７において、温度検出部２２は、温度を検出したことを示す温度検出信号を制御部９に送信する。
【００７８】
以上、第二実施形態に係る口腔内生体モニタリング装置１２について説明した。口腔内生体モニタリング装置１２は、センサ２に信号が入力されたことに応じて外部機器１００と通信を実行する。このため、口腔内生体モニタリング装置１２は、アドバタイジングを実行する場合とアドバタイジングを実行しない場合とを切り替えるスイッチが不要となるため、サイズが大きくなってしまうことを避けることができる。また、口腔内生体モニタリング装置１２は、必要な時にのみアドバタイジングを実行することができる。さらに、口腔内生体モニタリング装置１２は、必要以上にアドバタイジングを実行して電池４に蓄積されている電力を浪費してしまうことを避けることができるため、電池４が大きくなることにより、サイズが大きくなってしまうことを避けることができる。
【００７９】
また、口腔内生体モニタリング装置１２は、センサ２として温度検出部２２を備える温度センサを採用しており、温度検出部２２が所定の第一閾値以上の温度上昇を検出したことに応じて通信を実行する。また、このようなセンサ２は、アドバタイジングを実行する場合とアドバタイジングを実行しない場合とを切り替えるスイッチよりも小さい。したがって、口腔内生体モニタリング装置１２は、サイズが大きくなってしまうことを避けつつ、温度検出部２２に光又は熱を入力させ、温度を上昇させるだけでアドバタイジングを実行することができる。
【００８０】
また、通信部３は、所定の第一閾値として摂氏６０度を採用している。これにより、口腔内生体モニタリング装置１２は、温度検出部２２が被検体の体温による温度上昇を検出したことに応じて通信部３が不必要なアドバタイジングを実行してしまう事態を避けることができる。
【００８１】
また、通信部３は、所定の第一閾値として摂氏１５０度以上の温度を採用している。これにより、口腔内生体モニタリング装置１２は、温度検出部２２が被検体の体温による温度上昇を検出したことに応じて通信部３が不必要なアドバタイジングを実行してしまう事態を避けることができる。また、口腔内生体モニタリング装置１２は、マウスピース６１が歯列矯正等に使用される場合、一定期間、着脱判定用データを収集した後、そのまま破棄されることが前提となっていることも多い。このような場合、温度検出部２２が高温により故障してしまっても特に問題は無い。
【００８２】
また、口腔内生体モニタリング装置１２は、光を透過させる材料で作製されているマウスピース６１により覆われている温度検出部２２に照射された光による所定の第一閾値以上の温度上昇を温度検出部２２が検出したことに応じて通信を実行する。このため、口腔内生体モニタリング装置１２は、光を使用して温度検出部２２を局所的に加熱することにより温度検出部２２以外の部分が熱による損傷を受けてしまう事態を避けることができる。
【００８３】
また、センサ２は、間欠的に動作する。これにより、口腔内生体モニタリング装置１２は、センサ２により消費される電力を低減させ、電池４に蓄積されている電力を節約することができる。
【００８４】
また、口腔内生体モニタリング装置１２は、センサ２が所定の第二閾値以上の温度を検出した場合、マウスピースが被検体の歯冠Ｔに装着されていたと判定し、センサ２が所定の第二閾値未満の温度を検出した場合、マウスピース６１が被検体の歯冠Ｔに装着されていなかったと判定する判定部８を備える。これにより、口腔内生体モニタリング装置１２は、着脱判定用データを収集するための着脱判定用センサを省略し、サイズが大きくなってしまうことを避けることができる。或いは、口腔内生体モニタリング装置１１は、着脱判定用センサ及びセンサ２の両方から収集した着脱判定用データに基づいて、自身が被検体の歯冠Ｔに装着されているか否かを複合的かつ正確に判定することができる。
【００８５】
なお、上述した第一実施形態及び第二実施形態では、図２に示したように、センサ２が被検体の歯茎Ｇに配置される場合を例に挙げたが、これに限定されない。図８は、他の実施形態に係る口腔内生体モニタリング装置が備えるセンサ及び光検出部を通る平面における断面の一例を示す図である。図８に示すように、センサ２は、被検体の歯冠Ｔ及び歯茎Ｇに配置されてもよい。この場合、第一実施形態に係る口腔内生体モニタリング装置１１及び第二実施形態に係る口腔内生体モニタリング装置１２は、上述したマウスピース６１の代わりに、図８に示したマウスピース６２を備える。
【００８６】
図９は、他の実施形態に係る口腔内生体モニタリング装置が備えるセンサ及び光検出部を通る平面における断面の一例を示す図である。図９に示すように、センサ２は、被検体の歯冠Ｔに配置されてもよい。この場合、口腔内生体モニタリング装置１１及び口腔内生体モニタリング装置１２は、上述したマウスピース６１の代わりに、図９に示したマウスピース６３を備える。
【００８７】
つまり、センサ２は、被検体の歯冠Ｔのうち被検体が上顎の歯と下顎の歯とを咬合させても他の歯と接触しない部分及び被検体の歯茎Ｇの少なくとも一方に配置される。これにより、第一実施形態に係る口腔内生体モニタリング装置１１及び第二実施形態に係る口腔内生体モニタリング装置１２は、被検体の噛み合わせに影響を与えてしまう事態を避けることができる。
【００８８】
また、上述した第一実施形態では、図２に示したように、光検出部２１が被検体の歯冠Ｔ及び歯茎Ｇの少なくとも一方を向いた状態でマウスピース６１が被検体の歯冠Ｔに装着される場合を例に挙げたが、これに限定されない。図１０は、図１０は、他の実施形態に係る口腔内生体モニタリング装置が備えるセンサ及び光検出部を通る平面における断面の一例を示す図である。図１０に示すように、マウスピース６１は、センサ２が被検体の歯冠Ｔ及び歯茎Ｇが存在する方向と異なる方向を向いた状態で被検体の歯冠Ｔに装着されてもよい。また、センサ２が光検出部２１又は温度検出部２２を備える場合、光検出部２１又は温度検出部２２も被検体の歯冠Ｔ及び歯茎Ｇが存在する方向と異なる方向を向いた状態であってもよい。これにより、口腔内生体モニタリング装置１１又は口腔内生体モニタリング装置１２は、マウスピース６１が被検体の歯冠Ｔに装着されている場合であっても光又は温度上昇を検出したことに応じてアドバタイジングを実行することができる。
【００８９】
さらに、センサ２が温度検出部２２を備える場合、口腔内生体モニタリング装置１２は、図１０に示すように、光が照射される領域に設けられた光を吸収する吸光性部材２１５を備えていてもよい。吸光性部材２１５は、例えば、カーボンを含む材料で作製されており、温度検出部２２を取り巻くように基板５に取り付けられている。これにより、口腔内生体モニタリング装置１２は、照射された光を効率的に熱に変換し、所定の第一閾値以上の温度上昇を検出したことに応じて通信を実行することができる。
【００９０】
また、第一実施形態及び第二実施形態では、センサ２がマウスピース６１に封止されている場合を例に挙げたが、これに限定されない。例えば、マウスピース６１は、センサ２の一部を覆っているだけでもよい。或いは、マウスピース６１は、光検出部２１又は温度検出部２２が光を取り込む部分を除いた部分を覆っていてもよい。
【００９１】
また、第一実施形態及び第二実施形態では、マウスピース６１全体が光を透過させる材料で作製されている場合を例に挙げたが、これに限定されない。例えば、マウスピース６１は、光検出部２１又は温度検出部２２が光を取り込む部分を除いて、光を透過させない材料で作製されていてもよい。さらに、センサ２が温度検出記載２２を備え、温度検出部２２が光の照射による温度上昇ではなく、加熱による温度上昇を検出する場合、マウスピース６１全体が光を透過させない材料で作製されていてもよい。
【００９２】
また、第一実施形態及び第二実施形態では、口腔内生体モニタリング装置１１及び口腔内生体モニタリング装置１２がＣＰＵ７１、ＲＯＭ７２及びＲＡＭ７３を備える場合を例に挙げたが、これに限定されない。例えば、口腔内生体モニタリング装置１１及び口腔内生体モニタリング装置１２は、ＣＰＵ７１、ＲＯＭ７２及びＲＡＭ７３の代わりに、これら三つの機能を有するマイコンを備えていてもよい。
【００９３】
同様に、第一実施形態及び第二実施形態では、口腔内生体モニタリング装置１１及び口腔内生体モニタリング装置１２がＣＰＵ７１、ＲＯＭ７２、ＲＡＭ７３、ＲＴＣ７４及び通信部３を備える場合を例に挙げたが、これに限定されない。例えば、口腔内生体モニタリング装置１１及び口腔内生体モニタリング装置１２は、ＣＰＵ７１、ＲＯＭ７２、ＲＡＭ７３、ＲＴＣ７４及び通信部３の代わりに、これら五つの機能を有するマイコンを備えていてもよい。
【００９４】
また、第一実施形態及び第二実施形態では、外部機器１００が発光部２１００を使用して温度検出部２２に光を照射する場合を例に挙げたが、これに限定されない。例えば、外部機器１００は、発光部２１００の代わりに、電熱線等の熱源を有する発熱部を備えており、この発熱部を使用して温度検出部２２を加熱してもよい。
【００９５】
また、上述した口腔内生体モニタリング装置１１が備える機能の全部又は一部は、プログラムとしてコンピュータ読み取り可能な記録媒体に記録され、このプログラムがコンピュータシステムにより実行されてもよい。コンピュータシステムは、周辺機器等のハードウェアを含むものとする。また、コンピュータ読み取り可能な記録媒体は、例えば、フレキシブルディスク、光磁気ディスク、ＲＯＭ、ＣＤ−ＲＯＭ等の可搬媒体、コンピュータシステムに内蔵されるハードディスク等の記憶装置、インターネット等のネットワーク上のサーバ等が備えるＲＡＭである。なお、揮発性メモリは、一定時間プログラムを保持する記録媒体の一例である。
【００９６】
また、上述したプログラムは、伝送媒体、例えば、インターネット等のネットワーク、電話回線等の通信回線により他のコンピュータシステムに伝送されてもよい。
【００９７】
また、上記プログラムは、上述した機能の全部又は一部を実現するプログラムであってもよい。なお、上述した機能の一部を実現するプログラムは、上述した機能をコンピュータシステムに予め記録されているプログラムとの組み合わせで実現できるプログラム、いわゆる差分プログラムであってもよい。
【００９８】
以上、本発明の実施形態について図面を参照しながら説明したが、具体的な構成が上述した実施形態に限られるわけではなく、本発明の要旨を逸脱しない範囲での設計変更等も含まれる。
【符号の説明】
【００９９】
１１，１２…口腔内生体モニタリング装置、２…センサ、２１…光検出部、２２…温度検出部、２１１…光発電素子、２１３…センサＩＣ、２１５…吸光性部材、２２２…電源制御部、２２３…センサＩＣ、３…通信部、４…電池、５…基板、６１，６２，６３…マウスピース、７１…ＣＰＵ、７２…ＲＡＭ、７３…ＲＯＭ、７４…ＲＴＣ、８…判定部、９…制御部、１００…外部機器、３００…通信部、８００…制御部、２１００…発光部、Ｇ…歯茎、Ｔ…歯冠
【図１】
2020141789.tif 000003
【図２】
2020141789.tif 000004
【図３】
2020141789.tif 000005
【図４】
2020141789.tif 000006
【図５】
2020141789.tif 000007
【図６】
2020141789.tif 000008
【図７】
2020141789.tif 000009
【図８】
2020141789.tif 000010
【図９】
2020141789.tif 000011
【図１０】
2020141789.tif 000012